(57)【要約】  【課題】  動作条件の確認や設定を容易に行うことができるようにした画像形成装置およびその制御方法を提供する。  【解決手段】  設定管理部６３が、入力処理部６１が受け付けた動作条件を設定して設定記憶部６４に記憶させるとともに、該設定により変更された動作条件を履歴として設定記憶部６４に記憶させて管理する。そして、表示制御手段６２が、設定管理部６３が管理する動作条件をその履歴とともに表示する。【選択図】        図３
2006267648.tif 000002
【特許請求の範囲】
【請求項１】
記憶手段を具備し、該記憶手段に記憶された複数の条件に基づいて動作する画像形成装置において、
指定された条件を設定して前記記憶手段に記憶させるとともに、該設定により変更された条件を履歴として前記記憶手段に記憶させて管理する設定管理手段と、
前記設定管理手段が管理する条件と履歴とを表示する表示手段と
を具備することを特徴とする画像形成装置。
【請求項２】
前記設定管理手段は、前記表示手段が表示した履歴から指定された履歴を新たな条件として設定することを特徴とする請求項１記載の画像形成装置。
【請求項３】
前記設定管理手段は、ユーザによる承認が行われる毎に、該ユーザに関連付けて前記履歴を前記記憶手段に記憶させることを特徴とする請求項１記載の画像形成装置。
【請求項４】
前記記憶手段に記憶された条件のうち、指定された任意の条件に対して、他の条件を関連条件として登録する関連登録手段をさらに具備することを特徴とする請求項１記載の画像形成装置。
【請求項５】
前記表示手段は、指定された条件と該条件に対応する履歴とを、前記関連登録手段により登録された関連条件および該関連条件の履歴とともに表示することを特徴とする請求項４記載の画像形成装置。
【請求項６】
記憶手段を具備し、該記憶手段に記憶された複数の条件に基づいて動作する画像形成装置において、
前記記憶手段に記憶された条件のうち、指定された任意の条件に対して、他の条件を関連条件として登録する関連登録手段と、
指定された条件を、前記関連登録手段により登録された関連条件とともに表示する表示手段と
を具備することを特徴とする画像形成装置。
【請求項７】
記憶手段を具備し、該記憶手段に記憶された複数の条件に基づいて動作する画像形成装置の制御方法であって、
指定された条件を設定して前記記憶手段に記憶させるとともに、該設定により変更された条件を履歴として前記記憶手段に記憶させて管理し、該管理している条件を該条件に対応すると履歴とともに表示手段に表示することを特徴とする画像形成装置の制御方法。
【請求項８】
前記表示手段に表示した履歴のいずれかが指定された場合に、該指定された履歴を新たな条件として設定することを特徴とする請求項７記載の画像形成装置の制御方法。
【請求項９】
ユーザによる承認が行われる毎に、該ユーザに関連付けて前記履歴を前記記憶手段に記憶させることを特徴とする請求項７記載の画像形成装置の制御方法。
【請求項１０】
前記記憶手段に記憶された条件のうち、指定された任意の条件に対して、他の条件を関連条件として登録することを特徴とする請求項７記載の画像形成装置の制御方法。
【請求項１１】
指定された条件と該条件に対応する履歴とを、前記関連条件および該関連条件の履歴とともに前記表示手段に表示することを特徴とする請求項１０記載の画像形成装置の制御方法。
【請求項１２】
記憶手段を具備し、該記憶手段に記憶された複数の条件に基づいて動作する画像形成装置の制御方法であって、
前記記憶手段に記憶された条件のうち、指定された任意の条件に対して、他の条件を関連条件として前記記憶手段に登録し、指定された条件を前記関連条件とともに表示手段に表示することを特徴とする画像形成装置の制御方法。
【発明の詳細な説明】
【技術分野】
【０００１】
本発明は、画像形成装置およびその制御方法に関し、特に、動作条件等の複数の設定条件の管理が可能な画像形成装置およびその制御方法に関する。
【背景技術】
【０００２】
一般に、複写機等の画像形成装置は、設定された多数の条件に基づいて動作する。これらの条件には、用紙の指定や両面印刷の指定等のジョブの実行条件があるが、この他にも、装置内部の電圧の設定やカラー調整等の装置の動作条件となるものがある。
【０００３】
画像形成装置の動作条件は、調整等を行うといった特性上、数値によって設定されるため、変更を行っていく過程で、元の値や途中の値が不明となる可能性が高く、条件を元に戻す作業に多大な時間を要することがあった。
【０００４】
また、画像形成装置の動作条件は、複数の条件が関連している場合も多く、ある値を変更した場合に、関連する他の値も変更する必要が生じる場合もあるが、動作条件の関連は必ずしも明確でなく、その設定に作業に多大な時間を要することがあった。
【０００５】
なお、膨大な項目数となる画像形成動作に係わる動作条件の確認や変更の作業を容易にする技術としては、例えば、特許文献１に記載されたものがある。
【特許文献１】特開２００１−３５６６４９号公報
【発明の開示】
【発明が解決しようとする課題】
【０００６】
前述のように、画像形成装置の動作条件を設定、変更する場合には、多大な時間を要することがあり、また、その設定に際して入力ミスが生じる場合もあるなど、その作業自体が煩雑なものであった。
【０００７】
そこで、本発明は、動作条件の確認や設定を容易に行うことができるようにした画像形成装置およびその制御方法を提供することを目的とする。
【課題を解決するための手段】
【０００８】
上述した目的を達成するため、請求項１の発明は、記憶手段を具備し、該記憶手段に記憶された複数の条件に基づいて動作する画像形成装置において、指定された条件を設定して前記記憶手段に記憶させるとともに、該設定により変更された条件を履歴として前記記憶手段に記憶させて管理する設定管理手段と、前記設定管理手段が管理する条件と履歴とを表示する表示手段とを具備することを特徴とする。
【０００９】
また、請求項２の発明は、請求項１の発明において、前記設定管理手段は、前記表示手段が表示した履歴から指定された履歴を新たな条件として設定することを特徴とする。
【００１０】
また、請求項３の発明は、請求項１の発明において、前記設定管理手段は、ユーザによる承認が行われる毎に、該ユーザに関連付けて前記履歴を前記記憶手段に記憶させることを特徴とする。
【００１１】
また、請求項４の発明は、請求項１の発明において、前記記憶手段に記憶された条件のうち、指定された任意の条件に対して、他の条件を関連条件として登録する関連登録手段をさらに具備することを特徴とする。
【００１２】
また、請求項５の発明は、請求項４の発明において、前記表示手段は、指定された条件と該条件に対応する履歴とを、前記関連登録手段により登録された関連条件および該関連条件の履歴とともに表示することを特徴とする。
【００１３】
また、請求項６の発明は、記憶手段を具備し、該記憶手段に記憶された複数の条件に基づいて動作する画像形成装置において、前記記憶手段に記憶された条件のうち、指定された任意の条件に対して、他の条件を関連条件として登録する関連登録手段と、指定された条件を、前記関連登録手段により登録された関連条件とともに表示する表示手段とを具備することを特徴とする。
【００１４】
また、請求項７の発明は、記憶手段を具備し、該記憶手段に記憶された複数の条件に基づいて動作する画像形成装置の制御方法であって、指定された条件を設定して前記記憶手段に記憶させるとともに、該設定により変更された条件を履歴として前記記憶手段に記憶させて管理し、該管理している条件を該条件に対応すると履歴とともに表示手段に表示することを特徴とする。
【００１５】
また、請求項８の発明は、請求項７の発明において、前記表示手段に表示した履歴のいずれかが指定された場合に、該指定された履歴を新たな条件として設定することを特徴とする。
【００１６】
また、請求項９の発明は、請求項７の発明において、ユーザによる承認が行われる毎に、該ユーザに関連付けて前記履歴を前記記憶手段に記憶させることを特徴とする。
【００１７】
また、請求項１０の発明は、請求項７の発明において、前記記憶手段に記憶された条件のうち、指定された任意の条件に対して、他の条件を関連条件として登録することを特徴とする。
【００１８】
また、請求項１１の発明は、請求項１０の発明において、指定された条件と該条件に対応する履歴とを、前記関連条件および該関連条件の履歴とともに前記表示手段に表示することを特徴とする。
【００１９】
また、請求項１２の発明は、記憶手段を具備し、該記憶手段に記憶された複数の条件に基づいて動作する画像形成装置の制御方法であって、前記記憶手段に記憶された条件のうち、指定された任意の条件に対して、他の条件を関連条件として前記記憶手段に登録し、指定された条件を前記関連条件とともに表示手段に表示することを特徴とする。
【発明の効果】
【００２０】
本発明によれば、動作条件の設定の確認や変更が容易となる。
【発明を実施するための最良の形態】
【００２１】
以下、本発明に係る画像形成装置およびその制御方法の一実施の形態について、添付図面を参照して詳細に説明する。
【実施例】
【００２２】
図１は、本発明を適用した画像形成装置の構成の一部を示した図である。同図に示すように、画像形成装置１は、制御部１０と、入力部２０、表示部３０を具備して構成される。なお、図１では省略しているが、画像形成装置１は、画像の形成を行う画像形成部や原稿の読み取りを行う画像読取部、画像データの記憶を行うデータ記憶部等を有しているものである。
【００２３】
制御部１０は、ＣＰＵ(Central Processing Unit)１１、ＷＯＲＫ  ＲＡＭ(Random Access Memory)１２、ＣＯＮＴＲＯＬ  ＲＯＭ(Read Only Memory)１３、ＦＲＡＭＥ  ＲＯＭ１４、ＮＶＭ(Non Volatile Memory)１５、ＡＲＴＯＰ(Art Operating Processor)１５、ＡＳＩＣ(Application Specific Integrated Circuit)１７を有している。ＣＰＵ１１は、プログラムに基づいてデータの処理や処理結果の通知等の演算処理を行う。ＷＯＲＫ  ＲＡＭ１２、ＣＯＮＴＲＯＬ  ＲＯＭ１３は、ＣＰＵ１１が動作する際に一時的に記憶する必要のあるデータ等を記憶する。ＦＲＡＭＥ  ＲＯＭ１４は、ＣＰＵを動作させるプログラムや表示部３０に表示する画面を構成する要素等のデータを記憶している。ＮＶＭ１５は、画像形成装置１の動作条件等を不揮発記憶する。ＡＲＴＯＰ１６、ＡＳＩＣ１７は、表示部３０に画面を表示する処理を実行する。
【００２４】
入力部２０は、入力ボタン等から入力されたユーザの指示を受け付けるものであり、表示部３０は、ユーザへ通知する情報を表示するものである。入力部２０と表示部３０は、例えば、図２に示すようなＵＩ装置２として構成される。ＵＩ装置２は、入力ボタン等により構成される入力装置４０と、タッチパネルディスプレイ等により構成される表示・入力装置５０により構成され、入力装置４０と表示・入力装置５０の一部が入力部２０に相当し、表示・入力装置５０の一部が表示部３０に相当する。
【００２５】
続いて、制御部１０の機能的な構成について説明する。図３は、制御部１０の機能的な構成を示すブロック図である。
【００２６】
同図に示すように、制御部１０は、入力処理部６１と表示制御部６２、設定管理部６３、設定記憶部６４を具備して構成される。これらの各部は、制御部１０のＣＰＵ１１等によって実現される機能である。ただし、設定記憶部６４は、ＮＶＭ１５によって実現される。
【００２７】
入力処理部６１は、入力部２０が受け付けた指示を処理し、表示制御部６２や設定管理部６３へ指示を発する。表示制御部６２は、設定管理部６３から画像形成装置１の動作条件等を取得して表示部３０へ表示する画面を生成し、入力処理部６１からの指示に応じて表示する画面を変更する。設定管理部６３は、入力処理部６１からの指示に応じて、設定記憶部６４へ画像形成装置１の動作条件等を記憶させたり、設定記憶部６４から画像形成装置１の動作条件等を読み出したりする。設定記憶部６４は、画像形成装置１の動作条件等を記憶する。
【００２８】
次に、制御部１０の動作について説明する。図４乃至１１は、制御部１０の動作の流れを示すフローチャートであり、図１２乃至１９は、制御部１０により表示部３０に表示される表示画面の例を示した図である。
【００２９】
制御部１０は、入力制御部６１が、入力部２０に入力された仕様設定画面の表示指示を受け付けると、表示制御部６２が表示部３０に仕様設定画面を表示する（ステップ１０１）。仕様設定画面は、例えば、図１２に示す画面１０００のようなものである。画面１０００には、機械の詳細設定を指示するためのボタン１００１と、表示タイプの設定を指示するためのボタン１００２、関連項目の登録を指示するためのボタン１００３等が配置されている。また、画面１０００には、仕様設定自体の終了を指示するための作業終了ボタン１００４も配置されている。
【００３０】
制御部１０は、仕様設定画面（画面１０００）が表示されている状態で、入力処理部６１が機械の詳細設定指示を受け付ける、つまり、ユーザがボタン１００１を押下すると（ステップ１０２でＹＥＳ）、後述する機械の詳細設定処理を実行する（ステップ１０３）。
【００３１】
同様に、制御部１０は、仕様設定画面（画面１０００）が表示されている状態で、入力処理部６１が表示タイプの設定指示（ユーザによるボタン１００２の押下）を受け付けると（ステップ１０４でＹＥＳ）、後述する表示タイプの設定処理を実行し（ステップ１０５）、入力処理部６１が関連項目の登録指示（ユーザによるボタン１００３の押下）を受け付けると（ステップ１０６でＹＥＳ）、後述する関連項目の登録処理を実行する（ステップ１０７）。
【００３２】
また、制御部１０は、仕様設定画面（画面１０００）が表示されている状態で、入力処理部６１が作業の終了指示を受け付ける、つまり、ユーザが作業終了ボタン１００４を押下すると（ステップ１０８でＹＥＳ）、仕様設定処理を終了し、表示制御部６２が表示部３０に初期画面（不図示）を表示する。
【００３３】
次に、ステップ１０３で実行する機械の詳細設定処理について説明する。制御部１０は、機械の詳細設定処理を開始すると、まず、表示制御部６２が表示部３０に機械の詳細設定画面を表示する（図５のステップ２０１）。
【００３４】
機械の詳細設定画面は、例えば、図１３に示す画面１１００のようなものである。画面１１００には、設定項目を表示する設定項目表示欄１１０１と、設定項目表示欄１１０１に表示されている設定項目の現在および過去の設定値を表示する設定値表示欄１１０２、設定項目表示欄１１０１および設定値表示欄１１０２に表示されている内容の変更を指示するボタン１１０３（１１０３−１〜１１０３−４）、「Ｃ−Ｌ  Ｎｏ．入力モード」への移行を指示するボタン１１０４、「履歴番号入力モード」への移行を指示するボタン１１０５、対象となる設定項目の番号が表示される設定番号表示欄１１０６、設定番号表示欄１１０６に表示されている番号の変更を指示するボタン１１０７（１１０７−１および１１０７−２）、設定番号表示欄１１０６に表示されている番号の入力を指示するボタン１１０８、設定番号表示欄１１０６に表示されている番号に対応する項目の現在の設定値が表示される現在値表示欄１１０９、現在値表示欄１１０９に表示されている設定値の変更値を入力する変更値入力欄１１１０、ユーザ承認処理を指示するためのボタン１１１１、機械の詳細設定処理の終了を指示するための決定ボタン１１１２等が配置されている。なお、ステップ２０１で表示する機械の詳細設定画面（画面１１００）は、ボタン１１０４が押下された状態、つまり、「Ｃ−Ｌ  Ｎｏ．入力モード」に対応する画面である。
【００３５】
また、「Ｃ−Ｌ  Ｎｏ．」とは、設定項目を表す数字であり、チェイン（Ｃ）ナンバーとリンク（Ｌ）ナンバーで、設定項目を表している。例えば、「７００−９０１」で表される設定項目は、チェインナンバーが「７００」で、リンクナンバーが「９０１」である。
【００３６】
制御部１０は、機械の詳細設定画面（画面１１００）が表示されている状態で、入力処理部６１が表示項目の変更指示を受け付けると（ステップ２０２でＹＥＳ）、表示項目の変更処理を行う（ステップ２０３）。入力処理部６１が受け付ける表示項目の変更指示は、ユーザによるボタン１１０７−１、ボタン１１０７−２、ボタン１１０８のいずれかの押下である。
【００３７】
ここで、ステップ２０３の表示項目の変更処理の詳細について説明する。表示項目の変更処理では、変更指示がユーザによるボタン１１０８の押下、つまり、番号の入力指示であった場合には（図７のステップ３０１でＹＥＳ）、テンキー（図２に示した入力装置４０に配されている）の操作があれば（ステップ３０２でＹＥＳ）、入力処理部６１が、テンキーにより入力された数値を受け付ける（ステップ３０３）。そして、ユーザがスタートキー（図２に示した入力装置４０に配されている）を押下すると（ステップ３０４でＹＥＳ）、これを受けた入力処理部６１は、テンキーから入力された数値が正常、つまり、項目番号として存在する値であれば（ステップ３０５でＹＥＳ）、設定番号表示欄１１０６に表示されている番号および現在値表示欄１１０９に表示されている値等の表示を変更して（ステップ３０６）、表示項目の変更処理を終了する。
【００３８】
また、スタートキーが押下された際に、テンキーから入力された数値が正常のものでなければ（ステップ３０５でＮＯ）、表示項目を変更することなく処理を終了する。
【００３９】
一方、表示項目の変更指示がボタン１１０７−１若しくはボタン１１０７−２の押下であった場合には（ステップ３０１でＮＯ）、押下されたボタンに応じて設定番号表示欄１１０６に表示されている番号および現在値表示欄１１０９に表示されている値等の表示を変更して（ステップ３０６）、表示項目の変更処理を終了する。例えば、ボタン１１０７−１が押下された場合には、設定番号表示欄１１０６に表示されている番号を小さい値に変更し、ボタン１１０７−２が押下された場合には、設定番号表示欄１１０６に表示されている番号を大きい値に変更する。
【００４０】
また、制御部１０は、機械の詳細設定画面（画面１１００）が表示されている状態で、入力処理部６１がスクロール指示を受け付けると（図５のステップ２０４でＹＥＳ）、表示制御部６２が、当該指示に従って画面１１００の表示を変更する（ステップ２０５）。入力処理部６１が受け付けるスクロール指示は、ユーザによるボタン１１０３（１１０３−１〜１１０３−４）のいずれかの押下であり、例えば、ボタン１１０３−１が押下された場合には、表示制御部６２は、設定項目表示欄１１０１および設定値表示欄１１０２に表示している最上段の内容を消去し、以下の内容が繰り上げて表示し、最下段には、新たな内容を表示する。
【００４１】
また、制御部１０は、機械の詳細設定画面（画面１１００）が表示されている状態で、テンキーの操作があると（ステップ２０６でＹＥＳ）、入力処理部６１が、当該操作による入力値を受け付ける（ステップ２０７）。このとき、表示制御部６２は、画面１１００の変更値入力欄１１１０に表示している値を、入力処理部６１が受け付けた値に変更して表示する。
【００４２】
その後、入力処理部６１が、ユーザによるスタートキーの押下を受け付けると（ステップ２０８でＹＥＳ）、設定管理部６３は、ステップ２０７で受け付けた入力値が正常な値であれば（ステップ２０９でＹＥＳ）、設定記憶部６４に記憶している該当する値（現在値）を入力された値（変更値）に変更して記憶させる（ステップ２１０）。もちろん、テンキー操作が行われることなくスタートキーが押下された場合等は、ステップ２０９で入力値が異常と判断されるため、設定記憶部に記憶している値の変更は行わない。
【００４３】
この後、表示制御部６２は、設定記憶部６４に記憶された値に基づいて、画面１１００を再表示するが、この再表示により、設定値表示欄１１０２に表示される履歴の値が変更される。特に、値が変更された項目については、反転表示を行って、変更された値の注目度を高くしている。
【００４４】
また、制御部１０は、機械の詳細設定画面（画面１１００）が表示されている状態で、入力処理部６１がユーザ承認の指示を受け付けると（ステップ２１１でＹＥＳ）、ユーザ承認処理を行う（ステップ２１２）。入力処理部６１が受け付けるユーザ承認の指示は、ユーザによるボタン１１１１の押下である。
【００４５】
ここで、ステップ２１２のユーザ承認処理の詳細について説明する。ユーザ承認処理では、まず、表示制御部６２が、表示部３０にユーザ承認画面を表示する（図８のステップ４０１）。
【００４６】
ユーザ承認画面は、例えば、図１４に示す画面１２００のようなものである。画面１２００には、履歴の登録を指示するボタン１２０１、履歴の呼び出しを指示するボタン１２０２、履歴の削除を指示するボタン１２０３、履歴を登録するユーザのユーザ名変更若しくは登録を指示するボタン１２０４、ユーザを指定するボタン１２０５（１２０５−１〜１２０５−１０）、登録指示等のキャンセルを指示するリセットボタン１２０６、ユーザ承認の処理終了を指示する決定ボタン１２０７等が配置されている。
【００４７】
制御部１０は、ユーザ承認画面（画面１２００）が表示されている状態で、入力処理部６１が履歴の登録指示を受け付けると（ステップ４０２でＹＥＳ）、続いて、入力処理部６１が、キャンセル指示を受け付けることなくユーザ名の選択指示を受け付けると（ステップ４０３でＮＯ、ステップ４０４でＹＥＳ）、設定管理部６３が、指示されたユーザ名に関連付けて履歴を設定記憶部６４に記憶する（ステップ４０５）。入力処理部６１が受け付ける登録指示は、ユーザによるボタン１２０１の押下であり、キャンセル指示は、ユーザによるキャンセルボタン１２０６の押下、ユーザ名の指定は、ユーザによるボタン１２０５（１２０５−１〜１２０５−１０）のいずれかの押下である。
【００４８】
また、制御部１０は、ユーザ承認画面（画面１２００）が表示されている状態で、入力処理部６１が履歴の呼び出し指示を受け付けると（ステップ４０６でＹＥＳ）、続いて、入力処理部６１が、キャンセル指示を受け付けることなくユーザ名の選択指示を受け付けると（ステップ４０７でＮＯ、ステップ４０８でＹＥＳ）、設定管理部６３が、指示されたユーザ名に関連付けて記憶されている履歴を設定記憶部６４から呼び出す（ステップ４０９）。入力処理部６１が受け付ける呼び出し指示は、ユーザによるボタン１２０２の押下であり、キャンセル指示は、ユーザによるキャンセルボタン１２０６の押下、ユーザ名の指定は、ユーザによるボタン１２０５（１２０５−１〜１２０５−１０）のいずれかの押下である。
【００４９】
同様に、制御部１０は、ユーザ承認画面（画面１２００）が表示されている状態で、入力処理部６１が履歴の削除指示を受け付けると（図９のステップ４１０でＹＥＳ）、続いて、入力処理部６１が、キャンセル指示を受け付けることなくユーザ名の選択指示を受け付けると（ステップ４１１でＮＯ、ステップ４１２でＹＥＳ）、設定管理部６３が、指示されたユーザ名に関連付けて記憶されている履歴を設定記憶部６４から削除する（ステップ４１３）。入力処理部６１が受け付ける削除指示は、ユーザによるボタン１２０３の押下であり、キャンセル指示は、ユーザによるキャンセルボタン１２０６の押下、ユーザ名の指定は、ユーザによるボタン１２０５（１２０５−１〜１２０５−１０）のいずれかの押下である。
【００５０】
また、制御部１０は、ユーザ承認画面（画面１２００）が表示されている状態で、入力処理部６１がユーザ名の変更／登録の指示を受け付けると（ステップ４１４でＹＥＳ）、続いて、入力処理部６１が、キャンセル指示を受け付けることなくユーザ名の選択指示を受け付け（ステップ４１５でＮＯ、ステップ４１６でＹＥＳ）、さらに、キャンセル指示を受け付けることなくユーザ名の入力指示を受け付けると（ステップ４１７でＮＯ、ステップ４１８でＹＥＳ）、設定管理部６３が、指示されたユーザ名を新たに入力された名前に変更して設定記憶部６４に登録する（ステップ４１９）。この処理は、選択指示されたユーザ名が未使用のものであった場合には、新規のユーザ登録となり、選択指示されたユーザ名が使用中であった場合には、ユーザ名の変更となる。入力処理部６１が受け付ける削除指示は、ユーザによるボタン１２０４の押下であり、キャンセル指示は、ユーザによるキャンセルボタン１２０６の押下、ユーザ名の指定は、ユーザによるボタン１２０５（１２０５−１〜１２０５−１０）のいずれかの押下、ユーザ名の入力は、入力装置４０等からの入力である。
【００５１】
また、制御部１０は、ユーザ承認画面（画面１２００）が表示されている状態で、入力処理部６１がユーザ承認処理の終了指示を受け付けると（ステップ４２０でＹＥＳ）、ユーザ承認処理を終了する。入力処理部６１が受け付けるユーザ承認処理の終了指示は、ユーザによる決定ボタン１２０７の押下である。
【００５２】
ここで、機械の詳細設定画面（画面１１００）が表示されている状態の説明に戻る。制御部１０は、機械の詳細設定画面（画面１１００）が表示されている状態で、入力処理部６１が履歴番号入力指示を受け付けると（図５のステップ２１３でＹＥＳ）、表示制御部６２が、表示部３０に画面１１００とは異なる機械の詳細設定画面を表示する（図６のステップ２１４）。入力処理部６１が受け付ける履歴番号入力指示は、ユーザによるボタン１１０５の押下である。
【００５３】
この機械の詳細設定画面は、例えば、図１５に示す画面１３００のようなものである。画面１３００には、設定項目を表示する設定項目表示欄１３０１と、設定項目表示欄１３０１に表示されている設定項目の現在および過去の設定値を表示する設定値表示欄１３０２、設定項目表示欄１３０１および設定値表示欄１３０２に表示されている内容の変更を指示するボタン１３０３（１３０３−１〜１３０３−４）、「Ｃ−Ｌ  Ｎｏ．入力モード」への移行を指示するボタン１３０４、「履歴番号入力モード」への移行を指示するボタン１３０５、履歴番号を入力する履歴番号入力欄１３０９、ユーザ承認処理を指示するためのボタン１３１１、機械の詳細設定処理の終了を指示するための決定ボタン１３１２等が配置されている。なお、ステップ２１４で表示する機械の詳細設定画面（画面１３００）は、ボタン１３０５が押下された状態、つまり、「履歴番号入力モード」に対応する画面である。
【００５４】
制御部１０は、機械の詳細設定画面（画面１３００）が表示されている状態で、入力処理部６１がスクロール指示を受け付けると（ステップ２１５でＹＥＳ）、表示制御部６２が、当該指示に従って画面１３００の表示を変更する（ステップ２１６）。入力処理部６１が受け付けるスクロール指示は、ユーザによるボタン１３０３（１３０３−１〜１３０３−４）のいずれかの押下であり、例えば、ボタン１３０３−１が押下された場合には、表示制御部６２は、設定項目表示欄１１０１および設定値表示欄１１０２に表示している最上段の内容を消去し、以下の内容が繰り上げて表示し、最下段には、新たな内容を表示する。
【００５５】
また、制御部１０は、機械の詳細設定画面（画面１３００）が表示されている状態で、テンキーの操作があると（ステップ２１７でＹＥＳ）、入力処理部６１が、当該操作による入力値を受け付ける（ステップ２１８）。このとき、表示制御部６２は、画面１３００の履歴番号入力欄１３０９に表示している値を、入力処理部６１が受け付けた値に変更して表示する。
【００５６】
その後、入力処理部６１が、ユーザによるスタートキーの押下を受け付けると（ステップ２１９でＹＥＳ）、設定管理部６３は、ステップ２１８で受け付けた入力値が正常な値であれば（ステップ２２０でＹＥＳ）、設定記憶部６４に記憶している履歴のうち、入力された値に該当する番号の履歴に、設定値を変更する（ステップ２２１）。もちろん、テンキー操作が行われることなくスタートキーが押下された場合等は、ステップ２２０で入力値が異常と判断されるため、設定記憶部に記憶している値の変更は行わない。
【００５７】
この後、表示制御部６２は、設定記憶部６４に記憶された値に基づいて、画面１３００を再表示するが、この再表示により、設定値表示欄１３０２に表示される履歴の値が変更される。例えば、画面１３００が図１５に示した状態である場合に、履歴番号「３」への変更を行った場合には、設定値表示欄１３０２に新たに履歴番号「６」の設定値が表示され、その設定値は、履歴番号「３」と同様となる。
【００５８】
また、制御部１０は、機械の詳細設定画面（画面１３００）が表示されている状態で、入力処理部６１がユーザ承認の指示を受け付けると（ステップ２２２でＹＥＳ）、ユーザ承認処理を行う（ステップ２２３）。入力処理部６１が受け付けるユーザ承認の指示は、ユーザによるボタン１３１１の押下である。なお、ステップ２２３のユーザ承認処理は、図８および図９を参照して説明したステップ２１２のユーザ承認処理と同様であるため、ここでの説明は省略する。
【００５９】
また、制御部１０は、機械の詳細設定画面（画面１３００）が表示されている状態で、入力処理部６１がＣ−Ｌ  Ｎｏ．入力指示を受け付けると（ステップ２２４でＹＥＳ）、表示制御部６２が、表示部３０に機械の詳細設定画面（画面１１００）を表示する（図５のステップ２０１）。入力処理部６１が受け付けるＣ−Ｌ  Ｎｏ．入力指示は、ユーザによるボタン１３０４の押下である。
【００６０】
また、制御部１０は、機械の詳細設定画面（画面１１００）が表示されている状態若しくは機械の詳細設定画面（画面１３００）が表示されている状態で、機能の詳細設定の終了指示を受け付けると（ステップ２２５でＹＥＳ若しくはステップ２２６でＹＥＳ）、機能の詳細設定処理を終了する。入力指示部６１が受け付ける機能の詳細設定の終了指示は、ユーザによる決定ボタン１１１２の押下若しくは決定ボタン１３１２の押下である。
【００６１】
次に、ステップ１０５（図４）で実行する表示タイプの設定処理について説明する。制御部１０は、表示タイプの設定処理を開始すると、まず、表示制御部６２が表示部３０に表示タイプ設定画面を表示する（図１０のステップ５０１）。
【００６２】
表示タイプ設定画面は、例えば、図１６に示す画面１４００のようなものである。画面１４００には、表示タイプとして「設定項目の番号順表示」を指定するボタン１４０１と、表示タイプとして「登録された設定番号順表示」を指定するボタン１４０２、表示タイプの設定処理の終了を指示する決定ボタン１４０３等が配置されている。
【００６３】
制御部１０は、表示タイプ設定画面（画面１４００）が表示されている状態で、入力処理部６１が、番号順表示の指示を受け付けると（ステップ５０２でＹＥＳ）、設定管理部６３が番号順表示を選択し（ステップ５０３）、入力処理部６１が、登録順表示の指示を受け付けると（ステップ５０４でＹＥＳ）、設定管理部６３が登録順表示を選択する（ステップ５０５）。入力処理部６１が受け付ける番号順表示の指示は、ユーザによるボタン１４０１の押下であり、登録順表示の指示は、ユーザによるボタン１４０２の押下である。
【００６４】
そして、制御部１０は、入力処理部６１が表示タイプの設定処理の終了指示を受け付けると（ステップ５０６でＹＥＳ）、設定管理部６３が、選択している表示タイプを設定記憶部６４に記憶し（ステップ５０７）、表示タイプの設定処理を終了する。なお、番号順表示と登録順表示のいずれも指示されない状態で、表示タイプの設定処理の終了指示を受け付けた場合には、表示タイプの設定処理の開始前に設定されている表示タイプのままとする（表示タイプの設定処理の開始時点で、番号順表示と登録順表示のいずれかが選択された状態となる）。入力処理部６１が受け付ける表示タイプの設定処理の終了指示は、ユーザによる決定ボタン１４０３の押下である。
【００６５】
ここで、番号順表示と登録順表示について説明する。表示タイプを番号順表示に設定した場合には、図１３に示した画面１１００の設定項目表示欄１１０１および設定値表示欄１１０２や、図１５に示した画面１３００の設定項目表示欄１３０１および設定値表示欄１３０２のように、設定項目が、その番号順に表示される。
【００６６】
一方、表示タイプを番号順に設定した場合には、図１７に示す画面１５００の設定項目表示欄１５０１および設定値表示欄１５０２や、図１８に示す画面１６００の設定項目表示欄１６０１および設定値表示欄１６０２のように、設定項目が、その登録順に表示される。この登録順の表示とは、次に説明する関連項目の登録処理によって登録された順番である。
【００６７】
次に、ステップ１０７（図４）で実行する関連項目の登録処理について説明する。制御部１０は、関連項目の登録処理を開始すると、まず、表示制御部６２が表示部３０に関連項目の設定画面を表示する（図１１のステップ６０１）。
【００６８】
関連項目の設定画面は、例えば、図１９に示す画面１７００のようなものである。画面１７００には、「ベース入力モード」を指示するボタン１７０１、「関連入力モード」を指示するボタン１７０２、ベース項目番号を入力するベース項目番号入力欄１７０３、関連項目番号を入力する関連項目番号入力欄１７０４、登録された関連項目番号を表示する関連項目番号表示欄１７０５、ベース項目番号入力欄１７０３に入力したベース項目番号若しくは関連項目番号入力欄１７０４に入力した関連項目番号の登録を指示する登録ボタン１７０６、ベース項目番号入力欄１７０３に入力したベース項目番号若しくは関連項目番号入力欄１７０４に入力した関連項目番号の消去を指示する取り消しボタン１７０７、関連項目番号表示欄１７０５のスクロールを指示するボタン１７０８（１７０８−１および１７０８−２）、関連項目の登録処理の終了を指示する決定ボタン１７０９等が配置されている。
【００６９】
ベース項目番号は、項目番号の関連付けを行う際のベースとなる項目番号であり、このベース項目番号に対して、１以上の項目番号を関連項目番号として関連付けて登録することができる。
【００７０】
また、表示制御部６２が関連項目の設定画面（画面１７００）を表示した際に、設定管理部６３は、デフォルトとしてベース項目番号を選択した状態となっている（ステップ６０２）。
【００７１】
制御部１０は、関連項目の設定画面（画面１７００）が表示されている状態で、入力処理部６１が「ベース入力モード」の選択指示を受け付けると（ステップ６０３でＹＥＳ）、設定管理部６３がベース項目番号を選択し（ステップ６０４）、入力処理部６１が「関連入力モード」の選択指示を受け付けると（ステップ６０５でＹＥＳ）、設定管理部６３がベース項目番号を選択する（ステップ６０６）。入力処理部６１が受け付ける「ベース入力モード」の選択指示と「関連入力モード」の選択指示は、それぞれ、ボタン１７０１の押下とボタン１７０２の押下である。
【００７２】
また、制御部１０は、関連項目の設定画面（画面１７００）が表示されている状態で、テンキーの操作があると（ステップ６０７でＹＥＳ）、入力処理部６１が、当該操作による入力値を受け付ける（ステップ６０８）。このとき、このとき、設定管理部６３がベース項目番号を選択していれば、表示制御部６２は、画面１７００のベース項目番号入力欄１７０３に受け付けた値を入力して表示し、設定管理部６３が関連項目番号を選択していれば、表示制御部６２は、画面１７００の関連項目番号入力欄１７０４に受け付けた値を入力して表示する。
【００７３】
その後、入力処理部６１が、登録指示を受け付けると（ステップ６０９でＹＥＳ）、設定管理部６３は、ステップ６０８で受け付けた入力値が正常な値であれば（ステップ６１０でＹＥＳ）、入力された値をベース項目番号若しくは関連項目番号として確定する（ステップ６１１）。入力処理部６１が受け付ける登録指示は、ユーザによる登録ボタン１７０６の押下である。このとき、設定管理部６３がベース項目番号を選択していれば、確定された入力値はベース項目番号の指定となるので、表示制御部６２は、関連項目番号表示欄１７０５に表示する関連項目番号を入力されたベース項目番号に関連付けられた番号に変更する。また、設定管理部６３が関連項目番号を選択していれば、設定管理部６３は、入力された値をベース項目番号入力欄１７０３に表示されているベース項目番号に関連付けた関連項目番号として設定記憶部６４に記憶し、表示制御部６２は、関連項目番号表示欄１７０５に入力された値を追加表示する。
【００７４】
一方、入力処理部６１が、取り消し指示を受け付けると（ステップ６１２でＹＥＳ）、表示制御部６２は、入力された値を消去する（ステップ６１３）。入力処理部６１が受け付ける取り消し指示は、ユーザによる取り消しボタン１７０７の押下である。
【００７５】
また、制御部１０は、関連項目の設定画面（画面１７００）が表示されている状態で、スクロール指示を受け付けると（ステップ６１４でＹＥＳ）、表示制御部６２が、関連項目番号表示欄１７０５の表示をスクロールさせて表示を更新する（ステップ６１５）。入力処理部６１が受け付ける取り消し指示は、ユーザによるボタン１７０８−１若しくはボタン１７０８−２の押下である。
【００７６】
また、制御部１０は、関連項目の設定画面（画面１７００）が表示されている状態で、入力処理部６１が関連項目の設定処理の終了指示を受け付けると（ステップ６１６でＹＥＳ）、関連項目の設定処理を終了する。入力処理部６１が受け付ける関連項目の設定処理の終了指示は、ユーザによる決定ボタン１７０９の押下である。
【図面の簡単な説明】
【００７７】
【図１】本発明を適用した画像形成装置の構成の一部を示した図である。
【図２】ＵＩ装置２の構成例を示した図である。
【図３】制御部１０の機能的な構成を示すブロック図である。
【図４】制御部１０の動作の流れを示すフローチャートである。
【図５】制御部１０の動作の流れを示すフローチャートである。
【図６】制御部１０の動作の流れを示すフローチャートである。
【図７】制御部１０の動作の流れを示すフローチャートである。
【図８】制御部１０の動作の流れを示すフローチャートである。
【図９】制御部１０の動作の流れを示すフローチャートである。
【図１０】制御部１０の動作の流れを示すフローチャートである。
【図１１】制御部１０の動作の流れを示すフローチャートである。
【図１２】制御部１０により表示部３０に表示される表示画面の例を示した図である。
【図１３】制御部１０により表示部３０に表示される表示画面の例を示した図である。
【図１４】制御部１０により表示部３０に表示される表示画面の例を示した図である。
【図１５】制御部１０により表示部３０に表示される表示画面の例を示した図である。
【図１６】制御部１０により表示部３０に表示される表示画面の例を示した図である。
【図１７】制御部１０により表示部３０に表示される表示画面の例を示した図である。
【図１８】制御部１０により表示部３０に表示される表示画面の例を示した図である。
【図１９】制御部１０により表示部３０に表示される表示画面の例を示した図である。
【符号の説明】
【００７８】
１    画像形成装置
２    ＵＩ装置
１０    制御部
１１    ＣＰＵ
１２    ＷＯＲＫ  ＲＡＭ
１３    ＣＯＮＴＲＯＬ  ＲＯＭ
１４    ＦＲＡＭＥ  ＲＯＭ
１５    ＮＶＭ
１６    ＡＲＴＯＰ
１７    ＡＳＩＣ
２０    入力部
３０    表示部
４０    入力装置
５０    表示・入力装置
６１    入力処理部
６２    表示制御部
６３    設定管理部
６４    設定記憶部
１０００    画面
１００１    ボタン
１００２    ボタン
１００３    ボタン
１００４    作業終了ボタン
１１００    画面
１１０１    設定項目表示欄
１１０２    設定値表示欄
１１０３−１〜１１０３−４    ボタン
１１０４    ボタン
１１０５    ボタン
１１０５    設定番号表示欄
１１０７−１、１１０７−２    ボタン
１１０８    ボタン
１１０９    現在値表示欄
１１１０    変更値入力欄
１１１１    ボタン
１１１２    決定ボタン
１２００    画面
１２０１    ボタン
１２０２    ボタン
１２０３    ボタン
１２０４    ボタン
１２０５−１〜１２０５−１０    ボタン
１２０６    リセットボタン
１２０７    決定ボタン
１３００    画面
１３０１    設定項目表示欄
１３０２    設定値表示欄
１３０３−１〜１３０３−４    ボタン
１３０４    ボタン
１３０５    ボタン
１３０９    履歴番号入力欄
１３１１    ボタン
１３１２    決定ボタン
１４００    画面
１４０１    ボタン
１４０２    ボタン
１４０３    決定ボタン
１５００    画面
１５０１    設定項目表示欄
１５０２    設定値表示欄
１６００    画面
１６０１    設定項目表示欄
１６０２    設定値表示欄
１７００    画面
１７０１    ボタン
１７０２    ボタン
１７０３    ベース項目番号入力欄
１７０４    関連項目番号入力欄
１７０５    関連項目番号表示欄
１７０６    登録ボタン
１７０７    取り消し
１７０８−１、１７０８−２    ボタン
１７０９    決定ボタン
【図１】
2006267648.tif 000003
【図２】
2006267648.tif 000004
【図３】
2006267648.tif 000005
【図４】
2006267648.tif 000006
【図５】
2006267648.tif 000007
【図６】
2006267648.tif 000008
【図７】
2006267648.tif 000009
【図８】
2006267648.tif 000010
【図９】
2006267648.tif 000011
【図１０】
2006267648.tif 000012
【図１１】
2006267648.tif 000013
【図１２】
2006267648.tif 000014
【図１３】
2006267648.tif 000015
【図１４】
2006267648.tif 000016
【図１５】
2006267648.tif 000017
【図１６】
2006267648.tif 000018
【図１７】
2006267648.tif 000019
【図１８】
2006267648.tif 000020
【図１９】
2006267648.tif 000021